(57)【要約】【課題】  中栓にねじキャップを装着する際に螺合して締め込む必要がなく、中栓にねじキャップを打栓して装着することができる抜栓キャップを提供すること。【解決手段】  中栓と、中栓に螺合して装着されるねじキャップとを備え、中栓は、内容物を案内する注出筒と、注出筒の内周面に薄肉弱化部を介して連結され、内周に第１係合突部を設けるとともに、外周に外歯を設けた筒状壁が立設された栓体と、注出筒の外側に設けられた第１多条ねじ部とを有し、ねじキャップは、頂壁の中央から垂下され、外周に第１係合突部と係合可能な第２係合突部が形成された係着部と、係着部の外側から垂下され、内周に外歯と噛み合い可能な内歯を設けた切断筒部と、切断筒部の外側に設けられ、第１多条ねじ部と螺合可能な第２多条ねじ部とを有し、第１多条ねじ部と第２多条ねじ部は、ねじキャップを中栓に装着するときに打栓可能とすることを特徴とする。【選択図】  図１
2020083464.tif 000002
【特許請求の範囲】
【請求項１】
容器本体の口部に装着される中栓と、中栓に螺合して装着されるねじキャップとを備え、
中栓は、内容物を案内する注出筒と、注出筒の内周面に薄肉弱化部を介して連結され、内周に第１係合突部を設けるとともに、外周に外歯を設けた筒状壁が立設された栓体と、注出筒の外側に設けられた第１多条ねじ部とを有し、
ねじキャップは、頂壁の中央から垂下され、外周に第１係合突部と係合可能な第２係合突部が形成された係着部と、係着部の外側から垂下され、内周に外歯と噛み合い可能な内歯を設けた切断筒部と、切断筒部の外側に設けられ、第１多条ねじ部と螺合可能な第２多条ねじ部とを有し、
第１多条ねじ部と第２多条ねじ部は、ねじキャップを中栓に装着するときに打栓可能とすることを特徴とする抜栓キャップ。
【請求項２】
栓体は、外歯の方が筒状壁の高さよりも低く形成され、
切断筒部は、外周が注出筒の内周面に密着する密封筒を有し、内歯の方が密封筒の高さよりも低く形成されることを特徴とする請求項１に記載の抜栓キャップ。
【請求項３】
外歯は、略径方向に形成され、内歯と噛み合う両側面の第１係合面と、第１係合面と直交する上面に形成された案内係合面とを有し、
内歯は、略径方向に形成され、外歯の第１係合面と噛み合う両側面の第２係合面と、第２係合面と直交する下面に形成され、セット時に外歯の案内係合面に当接する先端係合面とを有することを特徴とする請求項１または２に記載の抜栓キャップ。
【請求項４】
外歯は、円弧角が広い広幅外歯と、広幅外歯よりも円弧角が狭い狭幅外歯とを有し、
内歯は、円弧角が広い広幅内歯と、広幅内歯よりも円弧角が狭い狭幅内歯とを有することを特徴とする請求項１〜３のいずれかに記載の抜栓キャップ。
【請求項５】
中栓は、容器本体の口部が嵌入する嵌合筒部と、嵌合筒部から立設され、第１多条ねじ部が螺設されたねじ壁部と、ねじ壁部の上端から内方へ連設され、注出筒が形成された天壁とを有することを特徴とする請求項１〜４のいずれかに記載の抜栓キャップ。
【請求項６】
ねじキャップは、頂壁の外周縁から垂設された外周壁と、頂壁の切断筒部の外側から垂下され、第２多条ねじ部が螺設されたねじ筒部とを有することを特徴とする請求項５に記載の抜栓キャップ。
【発明の詳細な説明】
【技術分野】
【０００１】
本発明は、除去可能な栓体を有する中栓を備える抜栓キャップに関し、特にねじキャップを螺脱方向に回動することにより開栓できる抜栓キャップに関するものである。
【背景技術】
【０００２】
ドレッシングなどの内容物を収容する食品容器として、開封時まで除去可能な栓体を有する中栓により容器本体内を密封状態にし、中栓に螺合して装着されたねじキャップを螺脱方向に回動することによって中栓の栓体を開栓することができる抜栓キャップは、従来から知られている（例えば、特許文献１参照）。
【先行技術文献】
【特許文献】
【０００３】
【特許文献１】特開２０１５−１６３５２５号公報
【発明の概要】
【発明が解決しようとする課題】
【０００４】
しかしながら、上記特許文献１記載の抜栓キャップは、通常の開蓋操作と同様にねじキャップを螺脱方向に回動するだけで簡単に開栓することができるものの、中栓の注出筒内周面に薄肉弱化部を介して連結された栓体と、ねじキャップの切断筒部との間に、ねじキャップを螺合して締め込む際には、キャップの回転を許容し、螺脱して開放するときのみ係合するラチェット機構を配設する必要があり、開栓機構の構造が複雑になるという問題があった。
【０００５】
本発明は、上記問題を解決することを課題とし、容器本体に装着され、除去可能な栓体を有する中栓と、中栓に螺合して装着されるねじキャップとを備える抜栓キャップにおいて、中栓にねじキャップを装着する際に螺合して締め込む必要がなく、中栓にねじキャップを装着した後は、ねじキャップをねじの螺脱方向に回動するだけで簡単に開栓することができる抜栓キャップを提供することを目的とする。
【課題を解決するための手段】
【０００６】
本発明は、上記の課題を解決するため、抜栓キャップとして、容器本体の口部に装着される中栓と、中栓に螺合して装着されるねじキャップとを備え、中栓は、内容物を案内する注出筒と、注出筒の内周面に薄肉弱化部を介して連結され、内周に第１係合突部を設けるとともに、外周に外歯を設けた筒状壁が立設された栓体と、注出筒の外側に設けられた第１多条ねじ部とを有し、ねじキャップは、頂壁の中央から垂下され、外周に第１係合突部と係合可能な第２係合突部が形成された係着部と、係着部の外側から垂下され、内周に外歯と噛み合い可能な内歯を設けた切断筒部と、切断筒部の外側に設けられ、第１多条ねじ部と螺合可能な第２多条ねじ部とを有し、第１多条ねじ部と第２多条ねじ部は、ねじキャップを中栓に装着するときに打栓可能とすることを特徴とする構成を採用する。
【０００７】
抜栓キャップの実施形態として、栓体は、外歯の方が筒状壁の高さよりも低く形成され、切断筒部は、外周が注出筒の内周面に密着する密封筒を有し、内歯の方が密封筒の高さよりも低く形成されることを特徴とする構成を採用し、また、外歯は、略径方向に形成され、内歯と噛み合う両側面の第１係合面と、第１係合面と直交する上面に形成された案内係合面とを有し、内歯は、略径方向に形成され、外歯の第１係合面と噛み合う両側面の第２係合面と、第２係合面と直交する下面に形成され、セット時に外歯の案内係合面に当接する先端係合面とを有することを特徴とする構成を採用し、外歯は、円弧角が広い広幅外歯と、広幅外歯よりも円弧角が狭い狭幅外歯とを有し、内歯は、円弧角が広い広幅内歯と、広幅内歯よりも円弧角が狭い狭幅内歯とを有することを特徴とする構成を採用する。
【０００８】
抜栓キャップの具体的実施形態として、中栓は、容器本体の口部が嵌入する嵌合筒部と、嵌合筒部から立設され、第１多条ねじ部が螺設されたねじ壁部と、ねじ壁部の上端から内方へ連設され、注出筒が形成された天壁とを有することを特徴とする構成を採用し、また、ねじキャップは、頂壁の外周縁から垂設された外周壁と、頂壁の切断筒部の外側から垂下され、第２多条ねじ部が螺設されたねじ筒部とを有することを特徴とする構成を採用する。
【発明の効果】
【０００９】
本発明の抜栓キャップは、上記構成を採用することにより、ねじキャップを中栓にセットする際に、ねじキャップを打栓によって中栓に装着することができるので、従来の抜栓キャップのようにラチェット機構を必要とせず、ワンタッチでねじキャップと中栓とのセットを完了させることができるとともに、難しい操作をすることなく、通常の開蓋操作と同様にねじキャップをねじの解放方向に回動するだけで簡単に開栓することができる。
【図面の簡単な説明】
【００１０】
【図１】抜栓キャップの実施例１におけるキャップと中栓とのセット後の状態を示す図であり、（ａ）は正面断面図、（ｂ）は（ａ）のＸ−Ｘ線における断面矢視図である。
【図２】抜栓キャップの実施例１におけるキャップと中栓とのセット後の状態を示す図であり、（ａ）は図１（ａ）の要部拡大図、（ｂ）は図１に対応するねじ展開図である。
【図３】抜栓キャップの実施例１における中栓を示す図であり、（ａ）は上面図、（ｂ）は正面図である。
【図４】抜栓キャップの実施例１における中栓を示す図であり、（ａ）は正面断面図、（ｂ）は（ａ）のＹ−Ｙ線における断面矢視図である。
【図５】抜栓キャップの実施例１におけるねじキャップを示す図であり、（ａ）は正面断面図、（ｂ）は下面図である。
【図６】抜栓キャップの実施例１におけるねじキャップの雌ねじと中栓の雄ねじを示すねじ展開図である。
【図７】抜栓キャップの実施例１におけるねじキャップと中栓とのセット直前の状態を示す図であり、（ａ）は正面断面図、（ｂ）は（ａ）に対応するねじ展開図である。
【図８】抜栓キャップの実施例２におけるキャップと中栓とのセット後の状態を示す図であり、（ａ）は図１（ａ）のＸ−Ｘ栓における断面矢視図、（ｂ）は（ａ）の要部拡大図である。
【発明を実施するための形態】
【００１１】
次に、本発明の抜栓キャップについて、実施例を示した図面を参照して説明する。
【実施例１】
【００１２】
図１において、Ａは容器本体、Ｂは容器本体Ａに装着される中栓、Ｃは中栓Ｂに打栓してセットされるねじキャップである。
【００１３】
図１に示すように、容器本体Ａの口部１は、中栓Ｂに嵌着して抜け止め保持する係止突条２を備えている。
図２〜４に示すように、中栓Ｂは、外周側の外筒５、内周側の内筒６、口部１の天面側に位置する上壁７とからなり、口部１が嵌入する環状溝を形成する嵌合筒部４と、上壁７に連設して立設されたねじ壁部８と、ねじ壁部８の上端に天壁９を介して連設された注出筒１０とから構成されている。
【００１４】
注出筒１０は、容器本体Ａ内に収容された内容物を注出する注出口を形成し、円筒状の基部１１と、基部１１の上部に拡径して外側に湾曲するリップ部１２とを有する。
注出筒１０の基部１１の内周面には、全周にわたって形成された薄肉弱化部１４を介して栓体１５が一体に連設されている。
栓体１５は、上部に円筒状の筒状壁１６が立設され、下部は底壁１７が薄肉弱化部１４とともに注出口を密閉している。
【００１５】
筒状壁１６は、外周に外歯１８が周方向６個所に突設され、筒状壁１６の内周上部には、第１係合突部１９が環状に突設されている。
外歯１８は、略径方向に形成され、後述するねじキャップＣの内歯５１と噛み合う両側面の第１係合面２０と、第１係合面２０と直交する上面に形成された案内係合面２１とを有し、その平面視形状は、略扇形状をなしている。
なお、本実施例では、外歯１８は、周方向６個所に設けているが、６個所に限らず栓体１５の形状等に合わせて複数の適宜個所に設けることができる。
【００１６】
ねじ壁部８は、注出筒１０の下部に内周縁で連設した天壁９の外周縁から垂設され、外周面には第１多条ねじ部を構成する雄ねじ２３が設けられている。
雄ねじ２３は、図２（ａ）に示すように、通常のねじ山のように、断面が上下対称ではなく、上面が急傾斜して形成される傾斜上面２３ａと、下面が平坦に形成される平坦下面２３ｂとから構成され、雄ねじ２３は、図６に示すように、上端部が１８０°間隔で始まる２条ねじで形成されている。
なお、本実施例では、雄ねじ２３は、２条ねじとしているが、ねじ壁部８の高さに応じて、３条以上の多条ねじとすることができる。
ねじ壁部８の内周面には、上部を天壁９に連設し軸方向に延びる補強リブ２４が複数配設されている。
【００１７】
天壁９の周縁部には、外周側に陥没した段部２５が設けられ、段部２５の内周側には、１８０°間隔で２個所に音出し突部２６が配設されている。
【００１８】
嵌合筒部４は、上壁７が内周縁でねじ壁部８の下部と連設し、上壁７の下部には外筒５と内筒６が垂設されている。
外筒５と内筒６の間には、容器本体Ａの口部１が嵌入する嵌合溝が形成され、外筒５の内周には、係止突条２に係合して口部１を抜け止めする係止縮径部２７が設けられている。
上壁７の上面には、周方向の２個所にストッパー２８が設けられ、その螺脱方向には略垂直な第１当接面２８ａが形成され、螺着方向には第１傾斜面２８ｂが形成されている。
【００１９】
外筒５には、周方向にわたって外周面から径方向に切欠き凹部２９が凹設され、切欠き凹部２９の下部には、中栓Ｂを容器本体Ａから分離して分別廃棄可能とする分別機構３０が設けられている。
分別機構３０は、図３および４に示すように、外筒５の下部外周面の所定円弧範囲にわたって軸方向に形成された貫通スリット３１を介して把持部３２が設けられ、把持部３２は、薄肉の縦切断部３３によって外筒５から切り離され外方に展開可能になっている。
【００２０】
把持部３２の縦切断部３３から右方向には、上部に指先を入れて引っ掛けるための引っ掛け凹部３４が形成されている。
図４に示すように、貫通スリット３１は、縦切断部３３から把持部３２と反対方向（左方向）に始端部３１ａまで延び、他方の端部である終端部３１ｂで把持部３２が外筒５と一体となっている。
なお、本実施例では、貫通スリット３１は、約１２０°の円弧範囲にわたって形成され、貫通スリット３１のうち、引っ掛け凹部３４に隣接する中間部３１ｃから終端部３１ｂまでのハッチングを施した部分は、容易に破断できるように薄肉で接続されている。
【００２１】
貫通スリット３１の終端部３１ｂに隣接する外筒５の係止縮径部２７を含めた下部は、径方向に切り欠かれており、外筒５と把持部３２の間に破断可能な薄肉始断部３５が形成されている。
外筒５の切欠き凹部２９には、貫通スリット３１の終端部３１ｂから背面方向に延び、始端部３１ａ付近までの間の外筒５の内周側に破断可能な薄肉の周方向切断部３６と、周方向切断部３６の端部と終端部３１ｂとの間の大部分が把持部３２に対向する厚肉の厚肉連結部３７が形成されている。
【００２２】
図１および５に示すように、ねじキャップＣは、天板部に設けられた円板状の頂壁４０と、頂壁４０の外周縁から垂設された外周壁４１とを備え、頂壁４０の内面には、中央付近に垂設された係着部４２と、係着部４２から同心円状の外側へ順に、切断筒部４３、ねじ筒部４４が頂壁４０と一体に垂設され、さらに、切断筒部４３とねじ筒部４４との間に、音出し部材４５が同心円状に１８０°間隔で２個所に配設されている。
【００２３】
係着部４２には、中栓Ｂの第１係合突部１９を乗り越えて筒状壁１６の内周面に緊密に嵌合する環状の第２係合突部４８が先端外周に形成されている。
【００２４】
切断筒部４３は、閉蓋時に、外周が注出筒１０の内周面に密着して注出口を密閉する密封筒５０と、密封筒５０の内周に、外歯１８と噛み合う内歯５１とを備え、内歯５１は、外歯１８と同数の周方向６個所に設けられている。
【００２５】
内歯５１は、略径方向に形成され、栓体１５の外歯１８の第１係合面２０と噛み合う両側面の第２係合面５２と、第２係合面５２と直交する下面に形成され、セット時に外歯１８の案内係合面２１に当接する先端係合面５３とを備えている。
【００２６】
ねじ筒部４４は、内周に中栓Ｂの雄ねじ２３に螺合する第２多条ねじ部を構成する雌ねじ５５が設けられ、雌ねじ５５は、図２（ａ）に示すように、通常のねじ山のように、断面が上下対称ではなく、上面が平坦に形成される平坦上面５５ａと、下面が急傾斜して形成される傾斜下面５５ｂとから構成され、雌ねじ５５は、図６に示すように、下端部が１８０°間隔で始まる２条ねじで形成されている。
なお、雌ねじ５５は、前述のように、雄ねじ２３に対応して、３条以上の多条ねじとすることができる。
【００２７】
ねじ筒部４４の下端面には、ストッパー２８に係合するくさび状凹部５６が周方向２個所に形成されている。
くさび状凹部５６には、螺脱方向に略垂直な第２当接面５６ａが形成され、螺着方向に第２傾斜面５６ｂが形成されており、それぞれストッパー２８の第１当接面２８ａ、第１傾斜面２８ｂに対応する形状をなしている。
ねじ筒部４４の下端面が上壁７に当接するとともに、第２当接面５６ａが第１当接面２８ａに当接するとねじキャップＣの締め込みが完了する。
ストッパー２８およびくさび状凹部５６は、本実施例では周方向２個所に設けられているが、これに限定されず適宜の複数個所に設けることができる。
【００２８】
音出し部材４５は、頂壁４０の下面から垂設された剛直な棒状の基部５７と、基部５７の下端面から垂設され、周方向の厚さが弾性変形可能な薄肉に形成される振動片５８とからなっている。
音出し部材４５は、ねじキャップＣの締め込み終了直前に振動片５８の先端が中栓Ｂの音出し突部２６に当接し、振動片５８を湾曲変形させながら締め込みが進み、締め込み終了と同時に振動片５８が音出し突部２６を乗り越え、復元しようとすることにより、振動し、音が発生されるように設定される。
本実施例では、基部５７は、同心円状の１８０°間隔で２個所に分かれて配設されているが、基部５７は、リング状に連続したものであっても構わない。
【００２９】
次に、本実施例の使用態様と作用効果について説明する。
まず、本実施例の抜栓キャップを容器本体Ａに装着するには、中栓Ｂの上部からねじキャップＣを打栓し、中栓ＢとねじキャップＣをセットしてから口部１に中栓Ｂの嵌合筒部４を当てがって打栓する。
【００３０】
中栓Ｂの上部からねじキャップＣを打栓してセットする際には、図示しないマーク等によって中栓ＢとねじキャップＣとの周方向の位置を仮に合わせ、図７（ａ）に示すように、ねじキャップＣを中栓Ｂの軸心と合わせるように載置すると、中栓ＢとねじキャップＣは、正確に位置合わせされていないために、ねじキャップＣの切断筒部４３の内歯５１は、先端係合面５３が栓体１５の外歯１８の案内係合面２１と当接し、外歯１８の間に嵌入されない可能性が高く、この場合には、ねじキャップＣの雌ねじ５５は、中栓Ｂの雄ねじ２３と当接しない状態となる。
なお、先端係合面５３と案内係合面２１は、それぞれ周縁部がＲ形状や傾斜形状で、その他の部分は平坦面形状が好ましい。
ねじキャップＣを中栓Ｂに打栓する際、ねじキャップＣを中栓Ｂに載置させた時に当接する部分に平坦面形状を設けておけばよい。
【００３１】
その後、ねじキャップＣに荷重を掛けない状態で、ねじキャップＣを左右方向にわずかに回転させると、切断筒部４３の内歯５１は、図１（ｂ）に示す位置に到達し、内歯５１は、外歯１８の間に嵌入し、栓体１５の外歯１８と噛み合うことが可能な状態となる。
このとき、中栓Ｂの雄ねじ２３と、ねじキャップＣの雌ねじ５５との位置関係は、図７（ｂ）のねじ展開図に示すように、ねじ位相が一致している。
【００３２】
この状態から、ねじキャップＣを中栓Ｂに押し込むと、図２（ａ）に示すように、ねじキャップＣの雌ねじ５５は、傾斜下面５５ｂが雄ねじ２３の傾斜上面２３ａに摺接しながら雄ねじ２３を乗り越えて、ねじキャップＣのねじ筒部４４は、中栓Ｂのねじ壁部８に嵌合するようになる。
同時に、図２（ｂ）に示すように、ねじ筒部４４の下部のくさび状凹部５６が中栓Ｂの上壁７のストッパー２８に嵌合することにより、くさび状凹部５６の第２当接面５６ａがストッパー２８の第１当接面２８ａに当接して両ねじの螺合が完了する。
【００３３】
セット状態に組立られた抜栓キャップは、内容物が充填された容器本体Ａの口部１に、中栓Ｂの嵌合筒部４を当てがって打栓され、使用に供される。
このように、本実施例の抜栓キャップは、ねじキャップＣを中栓Ｂにセットする際に、ねじキャップＣを打栓によって中栓Ｂに装着することができるので、従来の抜栓キャップのようにラチェット機構を必要とせず、ワンタッチでねじキャップＣと中栓Ｂとのセットを完了させることができる。
【００３４】
次に、本実施例の抜栓キャップが装着された容器を使用するには、ねじキャップＣを中栓Ｂに対して螺脱方向に回転させる。
ねじキャップＣを回転すると、切断筒部４３の内歯５１が回動して、その第２係合面５２が中栓Ｂの栓体１５の外歯１８の第１係合面２０に当接するようになり、ねじキャップＣの回転力が両歯を介して栓体１５に加わるようになる。
なお、本実施例では、第１係合面２０および第２係合面５２は、平坦状に形成されているが、第１係合面２０および第２係合面５２は、平坦状でなくてもよく、ねじキャップＣを回転させたときに、外歯１８と内歯５１が噛み合うことができれば問題ない。
【００３５】
その後、回転が進むと、ねじキャップＣの音出し部材４５の振動片５８先端が、中栓Ｂの天壁９の音出し突部２６に当接し、さらに回転が進むと、振動片５８が湾曲変形しながら進み、振動片５８の先端が音出し突部２６を乗り越え、湾曲変形した振動片５８が復元して振動し、音が発せられる。
【００３６】
このとき、係着部４２の第２係合突部４８が栓体１５の筒状壁１６の内周面に緊密に嵌合しているので、筒状壁１６を内側から補強してねじキャップＣの回転力が内歯５１および外歯１８を介して栓体１５に伝わりやすくなるとともに、両ねじの回転に伴って栓体１５を上方に引き上げる力を発生させる。
ねじキャップＣの回転が進むと、栓体１５に加わる回転力と引き上げ力により、ついには薄肉弱化部１４が破断して注出筒１０内に注出口が開栓され、注出筒１０から分離された栓体１５は、筒状壁１６に係合する係着部４２によって引き上げられてねじキャップＣとともに上昇していく。
【００３７】
さらに、雌ねじ５５が雄ねじ２３から螺脱して、ねじキャップＣを中栓Ｂから離脱させれば、ねじキャップＣとともに栓体１５が除去された注出筒１０の開口から容器本体Ａ内の内容物を注出することができる。
【００３８】
内容物を注出した後、再度、ねじキャップＣを中栓Ｂに螺合する際には、ねじキャップＣの切断筒部４３の密封筒５０が注出筒１０の内周に密着して容器内を密封することができる。
また、両ねじの螺合が完了する際には、再度、音出し部材４５の振動片５８先端が、音出し突部２６に当接して振動し、音が発せられるので、本発明の利用者は、感覚的にキャップの閉蓋終了を知ることができる。
【００３９】
本実施例の抜栓キャップの中栓Ｂは、容器を使用した後に廃棄する際に、簡単な操作で容器本体Ａから分離し、分別して廃棄することができる。
まず、図３および４に示す縦切断部３３付近の引っ掛け凹部３４に手指を掛けて把持部３２を手前に引っ張ると、縦切断部３３が破断し、把持部３２が外方に展開する。
把持部３２を指で把持しながら、さらに把持部３２を引っ張ると、貫通スリット３１の中間部３１ｃから終端部３１ｂまでのハッチングを施した薄肉部分は、簡単に破断された後、貫通スリット３１の終端部３１ｂに隣接して設けられた薄肉始断部３５が破断し、周方向切断部３６へと破断が進んでいく。
【００４０】
周方向切断部３６が破断したところでは、係止縮径部２７の係止突条２への係合が解除されるので、厚肉連結部３７の近くまで破断が進むと、係止縮径部２７による口部１への拘束が解除され、把持部３２を引き上げると、中栓Ｂを容器本体Ａから離脱させ分別廃棄することができる。
【００４１】
本実施例では、閉蓋終了後の回転を止めるために、中栓ＢおよびねじキャップＣにストッパー２８およびくさび状凹部５６を設けているが、閉蓋終了時に、音出し部材４５により音が発せられ、利用者は、感覚的にキャップの閉蓋終了を知ることができるので、ストッパー２８およびくさび状凹部５６を設けなくても構わないし、さらに、音出し突部２６と音出し部材４５による音出し機構を設けなくてもよい。
【実施例２】
【００４２】
次に、第１実施例の栓体１５の外歯１８と切断筒部４３の内歯５１の構成を変更した第２実施例について、図８を参照して説明する。
以下、第１実施例と同一の構成部分には同一の符号を付し、栓体１５と切断筒部４３における変更部分に新たな符号を付し、相違点を中心に説明する。
【００４３】
図８（ａ）に示すように、中栓Ｂは、天壁９に立設された注出筒１０を備え、注出筒１０は、内容物を注出する注出口を形成し、注出筒１０の内周面には、全周にわたって形成された薄肉弱化部（図示せず）を介して栓体１５が一体に連設されている。
栓体１５は、上部に円筒状の筒状壁１６が立設されている。
さらに、天壁９の周縁部には、外周側に陥没した段部２５が設けられ、段部２５の内周側には、１８０°間隔で２個所に音出し突部２６が配設されている。
【００４４】
図８（ｂ）に詳しく示すように、筒状壁１６の外周には、広幅外歯６１が軸心に対して０°と１８０°の位置に２個所突設され、さらに、狭幅外歯６２が軸心に対して６０°、１２０°、２４０°、３００°の位置に４個所突設されている。
広幅外歯６１は、略径方向に形成され、ねじキャップＣの狭幅内歯６７と噛み合う両側面が円弧角α１をなす第１広幅係合面６３を有し、狭幅外歯６２は、略径方向に形成され、ねじキャップＣの広幅内歯６６および狭幅内歯６７と噛み合う両側面が円弧角α２をなす第１狭幅係合面６４を有している。
【００４５】
図８（ａ）に示すように、ねじキャップＣは、頂壁（図示せず）の内面に、中央付近に垂設された係着部４２と、係着部４２から同心円状の外側へ順に、切断筒部４３、ねじ筒部４４が頂壁と一体に垂設され、さらに、切断筒部４３とねじ筒部４４との間に、音出し部材４５が同心円状に１８０°間隔で２個所に配設されている。
【００４６】
図８（ｂ）に詳しく示すように、切断筒部４３は、閉蓋時に、外周が注出筒１０の内周面に密着して注出口を密閉する密封筒５０と、密封筒５０の内周には、広幅内歯６６が軸心に対して９０°と２７０°の位置に２個所突設され、さらに、狭幅内歯６７が軸心に対して３０°、１５０°、２１０°、３３０°の位置に４個所突設されている。
広幅内歯６６は、略径方向に形成され、栓体１５の狭幅外歯６２の第１狭幅係合面６４と噛み合う両側面が円弧角β１をなす第２広幅係合面６８を有し、狭幅内歯６７は、略径方向に形成され、栓体１５の広幅外歯６１および狭幅外歯６２と噛み合う両側面が円弧角β２をなす第２狭幅係合面６９を有している。
【００４７】
次に、本実施例の使用態様と作用効果について説明する。
中栓Ｂの上部からねじキャップＣを打栓してセットする際には、実施例１と同様に、図示しないマーク等によって中栓ＢとねじキャップＣとの周方向の位置を仮に合わせて載置してもよいが、本実施例の場合には、事前の仮位置決めを行わなくても、中栓ＢにねじキャップＣを載置して、ねじキャップＣに荷重をかけない状態で、ねじキャップＣを左右いずれかの方向に最大９０°回転させることにより、ねじキャップＣの広幅内歯６６と狭幅内歯６７は、栓体１５の広幅外歯６１と狭幅外歯６２との間に嵌入させることができる。
つぎに、この状態からねじキャップＣを中栓Ｂに押し込むと、第１実施例の同様にして、ねじキャップＣを中栓Ｂにセットすることができる。
【００４８】
以上説明したように、本実施例では、抜栓キャップにおいて、音出し機構を１８０°間隔で設けている場合に、位置決め用のマーク等を設けなくても、ねじキャップＣを中栓Ｂに対して正確に位置合わせをしてセットすることができる。
なお、本実施例では、雄ねじ２３と雌ねじ５５が２条ねじとして形成されているために、広幅外歯６１と広幅内歯６６は、それぞれ２個所に形成されているが、３条以上の多条ねじとした場合には、広幅外歯６１と広幅内歯６６は、それぞれ３個所以上に形成することができる。
【産業上の利用可能性】
【００４９】
本発明の抜栓キャップは、容器本体に装着され、除去可能な栓体を有する中栓と、中栓に螺合して装着されるねじキャップとを備える抜栓キャップにおいて、中栓にねじキャップを最初に装着する際に螺合して締め込む必要がなく、中栓にねじキャップを装着した後は、ねじキャップをねじの螺脱方向に回動するだけで簡単に開栓することができるから、飲食品や調味料などの容器に広く利用可能であり、とくに子供やお年寄りでも安心して利用できる容器として好適である。
【符号の説明】
【００５０】
Ａ            容器本体
Ｂ            中栓
Ｃ            ねじキャップ
１            口部
２            係止突条
４            嵌合筒部
５            外筒
６            内筒
７            上壁
８            ねじ壁部
９            天壁
１０            注出筒
１１            基部
１２            リップ部
１４            薄肉弱化部
１５            栓体
１６            筒状壁
１７            底壁
１８            外歯
１９            第１係合突部
２０            第１係合面
２１            案内係合面
２３            雄ねじ（第１多条ねじ部）
２３ａ          傾斜上面
２３ｂ          平坦下面
２４            補強リブ
２５            段部
２６            音出し突部
２７            係止縮径部
２８            ストッパー
２８ａ          第１当接面
２８ｂ          第１傾斜面
２９            切欠き凹部
３０            分別機構
３１            貫通スリット
３１ａ          始端部
３１ｂ          終端部
３１ｃ          中間部
３２            把持部
３３            縦切断部
３４            引っ掛け凹部
３５            薄肉始断部
３６            周方向切断部
３７            厚肉連結部
４０            頂壁
４１            外周壁
４２            係着部
４３            切断筒部
４４            ねじ筒部
４５            音出し部材
４８            第２係合突部
５０            密封筒
５１            内歯
５２            第２係合面
５３            先端係合面
５５            雌ねじ（第２多条ねじ部）
５５ａ          平坦上面
５５ｂ          傾斜下面
５６            くさび状凹部
５６ａ          第２当接面
５６ｂ          第２傾斜面
５７            基部
５８            振動片
６１            広幅外歯
６２            狭幅外歯
６３            第１広幅係合面
６４            第１狭幅係合面
６６            広幅内歯
６７            狭幅内歯
６８            第２広幅係合面
６９            第２狭幅係合面
【図１】
2020083464.tif 000003
【図２】
2020083464.tif 000004
【図３】
2020083464.tif 000005
【図４】
2020083464.tif 000006
【図５】
2020083464.tif 000007
【図６】
2020083464.tif 000008
【図７】
2020083464.tif 000009
【図８】
2020083464.tif 000010